Podtech/llm-jp-corpus-v4-ja_patent huggingface dataset:
(57)【要約】      （修正有）【課題】アフリカツメガエルの飼育では孵化してから変態期を終了するまで多くの困難を伴う。アフリカツメガエルを人為的に産卵させ、孵化後、飼育する新らたな方法を提供する。【解決手段】アフリカツメガエルを人為的に産卵させ、孵化させた後に水槽の水に溶かし込む形で酵母菌を与える。餌としての酵母菌を与えるタイミングは孵化し、オタマジャクシになり動き始めるころが最適である。酵母菌はオタマジャクシの排出物で濁った水を浄化し、かつ水に溶け込んだ形の栄養分であるため濃度をコントロールすることが容易である。【選択図】なし【特許請求の範囲】
【請求項１】
（１）酵母菌を用いたアフリカツメガエルの発生及び飼育法に関するものである。
【発明の詳細な説明】
【発明の概要】
（１）１９９５年から研究開発に取り組んでいる。試行を重ねた結果１９９６年には、とってもよい成果を得ることができた。その後さらに多くの実施方法にて試験研究を重ね順調な歩みを続けている。
（２）本発明は酵母菌を用いたアフリカツメガエルの発生及び飼育方法に関するものである。
【発明の詳細な説明】
【発明の構成】
【０００１】（１）アフリカツメガエルに人為的に産卵させ、孵化した後水槽の水に溶かし込む形で酵母菌を与える。
（２）餌としての酵母菌を与えるタイミングは孵化し、オタマジャクシになり、動き始めるころが最適である。
（３）酵母菌は排出物の尿素で濁った水を浄化する働きも認められ、栄養を損なわずに水質の管理が可能になる。
（４）水に溶け込んだ形の栄養分であるため濃度をコントロールすることが容易となる。
（５）成体の餌は、通常レバーを与えている。これに酵母菌を併用して与えてみたが経過は良好であった。
【０００２】
2006109817.tif 000002
【従来の方法とその欠点】
【０００３】（１）アフリカツメガエルにレバー・ホウレンソウのすり身等の餌を与えて飼育すると水が濁り、汚染物質の影響で幼生が死んでしまった。
（２）発生から飼育にかけての失敗の多くは、水質管理・栄養の与え方・水温との関係のバランスが崩れてしまうことにある。
（３）孵化してから幼生に与える栄養の管理及び水質の汚染対策にいくつかの問題があった。
【発明の効果】
【０００４】（１）一般の飼育では、孵化してから変態期を終了するまでが多くの困難を伴う。しかし、エトキン氏の実験から既に明らかなように自然変態では甲状腺ホルモン濃度が除に高まって行く。こうしたことから酵母菌には甲状腺ホルモンの分泌に密接な関係な関連作用があると考えられる。
（２）酵母菌を投与すると水が濁りにくくなる。このことは酵母菌が水質の浄化に大きく係わっていることを示している。
【手続補正書】
【提出日】平成17年1月13日(2005.1.13)
【手続補正２】
【補正対象書類名】明細書
【補正対象項目名】全文
【補正方法】変更
【補正の内容】
【発明の詳細な説明】
【技術分野】
【０００１】（１）アフリカツメガエルに人為的に産卵させ、孵化した後水槽の水に溶かし込む形で酵母菌を与える。（２）餌としての酵母菌を与えるタイミングは孵化し、オタマジャクシになり、動き始めるころが最適である。（３）酵母菌は排出物の尿素で濁った水を浄化する働きも認められ、栄養を損なわずに水質の管理が可能になる。（４）水に溶け込んだ形の栄養分であるため濃度をコントロールすることが容易となる。（５）成体の餌は、通常レバーを与えている。これに酵母菌を併用して与えてみたが経過は良好であった。
【図面の簡単な説明】
【０００２】
【図１】（１）孵化して２日目に酵母菌を与える。アフリカツメガエルは成長を促進する。重ねて水が浄化される。（２）チロキシンの濃度（右上がりの線）を示す。変態を起こすには、水槽内のチロキシンの濃度が一定以上が必要であることを示す。（３）アフリカツメガエルの後足が生えるころ、水槽の水を変えないでおくと変態が起こり、簡単に飼育できる。
【符号の説明】
【０００３】（１）アフリカツメガエルにレバー・煮沸したホウレンソウのすり身等の餌を与えて飼育すると水が濁り、汚染物質の影響で幼生が死んでしまった。（２）発生から飼育にかけての失敗の多くは、水質管理・栄養の与え方・水温との関係のバランスが崩れてしまうことにある。（３）孵化してから幼生に与える栄養の管理及び水質の汚染対策にいくつかの問題があった。
【手続補正３】
【補正対象書類名】図面
【補正対象項目名】全図
【補正方法】追加
【補正の内容】
【図１】
2006109817.tif 000003
(57)【要約】      （修正有）【課題】形状の悪い低級くず昆布が利用出来、薄く延ばし乾燥してもシート面に亀裂が生じず均一なシート状昆布乾燥シートを提供する。【解決手段】原藻昆布を粉砕機にかけ微細に粉砕し得られた液状昆布原料に対し、昆布の香り風味を損なわない原藻海苔やとろろ昆布を加えシート状に延ばす、あるいは液状昆布原料をシート状乾燥海苔に塗布し温風乾燥する。【選択図】図１
2006109823.tif 000002
【特許請求の範囲】
【請求項１】
海から採取した原藻昆布を、第１の行程で水洗と塩抜きをし、第２の行程で粉砕機にかけ微細に粉砕して得られた液状昆布原料を、第３の行程で昆布の香り風味を損なわない適度の長さに裁断された食物繊維質の食材と混合し、この混合原料をシート状に延ばし温風乾燥することを特徴とする昆布乾燥シートの製造方法。
【請求項２】
第２の行程で粉砕機にかけ微細に粉砕して得られた液状昆布原料を、第４の行程で既存のシート状食材に塗布し温風乾燥することを特徴とする請求項１記載の昆布乾燥シートの製造方法。
【発明の詳細な説明】
【技術分野】
【０００１】  本発明は、生昆布を粉砕し延ばした昆布乾燥シートに関する。
【背景技術】
【０００２】  従来海苔を乾燥シート状に加工する製法は一般に知られ、かつこの製法で製造された製品は市販されている（例えば、非特許文献１参照。）【０００３】  以下、海苔を乾燥シート状に加工する工程は、採取した原藻海苔を水洗いし裁断機にかけ、簀ですいて四角い板状に成型し乾燥してシート状、乾燥海苔を得ている。【０００４】
【非特許文献１】「法政大学出版局  ものと人間の文化史１１１  海苔、１８８ページ。」
【発明の開示】
【発明が解決しようとする課題】
【０００５】  本発明は昆布に含むミネラルを最大限に有効活用するためになされたもので、一般的に乾燥された昆布本体を食用に供する、昆布巻き、佃煮、とろろ昆布などがあり、また多くは本体を食用にされず出汁を採るため利用され、その後廃棄され昆布が持つカルシュームを代表するミネラルを充分に摂取できる全体食用とする方法が少なかった。【０００６】  また、これらのミネラルを多く必要とする年少者、高齢者が昆布の硬さや塩分の多さで充分な可食可能な形態になっていなかった、硬さを解消するため昆布を微細に粉砕しシート状に薄く延ばし乾燥すると、繊維質の結合物質がないため乾燥終了後、シート面に微細な亀裂が生じ脆くなり、各種料理に利用する課程でバラバラに砕け調理に利用することが困難であった。【０００７】  また形状の悪い規格外の低級くず昆布が利用されず廃棄されていた。
【問題を解決するための手段】
【０００８】  本発明は上記目的を解決するため、海から採取した原藻昆布を、第１の工程で水洗と塩抜きを十分にし、第２の工程で粉砕機にかけ微細に粉砕して得られた液状昆布原料を、第３の工程で昆布の香り風味を損なわない適度の長さに裁断された食物繊維質の食材と混合し、この混合原料をシート状に延ばし温風乾燥し昆布乾燥シートを得る。
【０００９】  また、第２の工程で粉砕機にかけ微細に粉砕して得られた液状昆布原料を、第４の工程で既存のシート状食材に塗布し温風乾燥し昆布乾燥シートを得る。
【発明の効果】
【００１０】  以上のように、実施形態では昆布を微細に粉砕し、昆布の香り風味を損なわない結合物質で食物繊維質のような食材を加えることで薄く延ばし乾燥しても、シート面に亀裂が生じず均一なシート状昆布乾燥シートを提供することができる。
【００１１】  微細に粉砕した昆布原料を使用しているから噛んで砕けやすく、これらのミネラルを多く必要とする噛む力の弱い年少者、高齢者でも多く可食でき、かつ各種料理に利用することができる。
【００１２】  昆布を微細に粉砕し形状の呈しない状態で利用するため、形状の悪い規格外の低級くず昆布も利用することができる。
【発明が実施するための最良の形態】
【００１３】  本発明は、上記目的を達成するためにシート状、乾燥海苔と同様な形状を得るためになされたものである、海から原藻昆布を採取する。
第１の工程  原藻昆布を水洗いと塩抜きを十分にする。
第２の工程  第１の工程で粉砕機にかけ可能な限り微細に粉砕した液状昆布原料を得る。
第３の工程  第２の工程で粉砕機にかけ可能な限り微細に粉砕した液状昆布原料を、できれば適量の調味料で味付けし重量比で液状昆布９昆布の香り風味を損なわない５〜６ｍｍの長さに裁断された食物繊維質の食材、たとえば原藻海苔やとろろ昆布１の割合で混合し、この混合原料を２〜３ｍｍの厚さのシート状に延ばし温風乾燥して昆布乾燥シートを得る。
第４の工程  第２の工程で粉砕機にかけ可能な限り微細に粉砕した液状昆布原料をシート状既存食材、たとえば乾燥海苔に２ｍｍ程度塗布し温風乾燥してシート状昆布乾燥シートを得る。
【００１４】  以上の製法で液状昆布原料を温風乾燥してもバラバラになることがなく均一な昆布乾燥シートを得ることができる。
【産業上の利用可能性】  本発明に係る昆布乾燥シートは、食品加工的に量産することが可能なため、産業上の利用可能性を有する。
【図面の簡単な説明】
【００１５】
【図１】  製造工程フローチャート図
【図１】
2006109823.tif 000003
(57)【要約】【課題】  家庭用で一度に多種多様の製麺ができる製麺器具を提供する。【解決手段】  本体軸（１）の両側にハンドル（２）を設け、その中央に切断用円形薄板（３）と内型（４）、模様型切断用円形薄板（５）と模様型内型（６）を設け、かえし付きの安全カバ−（７）を装着したことを特徴とする。【選択図】    図１
2006109825.tif 000002
【特許請求の範囲】
【請求項１】
家庭で簡単に必要分量の製麺を行うため、本体は棒状でその中央に円形の薄板と内型を必要な寸法別で間隔をとり並べ組合わせ、生地の上を手で本体を移動させるためのハンドルを両側に設けた製麺器具。
【請求項２】
多様な形状の製麺を出来るように、模様が型取られた刃先をもつ円形の薄板と模様が型取られた内型とが、多様に交換組合わせできる構造を設け、生地が本体に付いてこないように、かえし付き安全カバ−を設けた請求項１記載の製麺器具。
【発明の詳細な説明】
【技術分野】
【０００１】  本発明は、一般家庭での製麺作業の簡素化を図った製麺器具に関する。
【背景技術】
【０００２】  家庭用で一度に多種多様の製麺ができる製麺器具が必要だった。
【発明の開示】
【発明が解決しようとする課題】
【０００３】  従来の製麺器具では一度に一種類の製麺しかできない欠点があった。
本発明は、その欠点を除くために考案した。
【課題を解決するための手段】
【０００４】  模様が刃先に型取られた円形の薄板と模様が型取られた内型との組合わせにより、多様な製麺を一度に行う事を可能にした。
【発明の効果】
【０００５】  一度に多種多様の製麺が出来るようになり作業効率が向上した。
一般家庭での模様型の製麺を可能にした。
【発明を実施するための最良の形態】
【０００６】  本体軸に模様型の刃先にした円形薄板と模様型内型とを必要な寸法別の間隔で複数組合わせ、かえし付きの安全カバ−を設け、生地の上を手で本体を移動することにより、生地が本体に巻き込むことがなく、模様が模られた麺が製麺される。
なお、本発明の本体の材質は硬度が高く柔軟性のあるものに限る。
【図面の簡単な説明】
【０００７】
【図１】本発明の実施形態を示す家庭用製麺器具の部分断面図である。
【図２】本発明の斜視図である。
【符号の説明】
【０００８】    １  本体軸
２  ハンドル
３  切断用円形薄板
４  内型
５  模様型切断用円形薄板
６  模様型内型
７  かえし付き安全カバ−
【図１】
2006109825.tif 000003
【図２】
2006109825.tif 000004
(57)【要約】【課題】  カップ麺の風味を損なわずに、湯切りを不要とした簡便なカップ麺の調理方法を提供すること。【解決手段】  カップ麺の調理方法は、カップ麺を容器ごと電子レンジに入れて約２０−６０秒間暖めること、容器に約７０−１００℃の熱湯を注入すること、熱湯の入った容器にスープの素を入れること、容器内の麺をほぐすこと、容器内に具材を盛り付けることからなる。【選択図】図１
2006109803.tif 000002
【特許請求の範囲】
【請求項１】
カップ麺を容器ごと電子レンジに入れて約２０−６０秒間暖めること、
前記容器に約７０−１００℃の熱湯を注入すること、
前記熱湯の入った容器にスープの素を入れること、
前記容器内の麺をほぐすこと、
前記容器内に具材を盛り付けること、
からなるカップ麺の調理方法。
【発明の詳細な説明】
【技術分野】
【０００１】
本発明は、カップ麺の調理方法に関する。
【背景技術】
【０００２】
従来、コンビニエンスストア等で販売されているカップ麺（即席麺）は、その製造工場において原材料の麺を一旦茹で、α化した麺を容器に入れ、容器の上の蓋容器に具材やスープの素を入れ、その上にカバーを置き、全体をラップ包装したものが冷凍貯蔵されている。店頭では、冷凍貯蔵されたものを冷蔵状態で展示して販売されている。
【０００３】
コンビニエンスストア等において、顧客がカップ麺を購入したさい、そのまま自宅に持ち帰る場合もあるが、顧客の要望に応じて、店内で食べられる状態にして顧客に渡されることもある。
【０００４】
従来、自宅または店内でカップ麺を食べられる状態にする通常の調理方法は、（１）まず、容器に熱湯を入れて麺を暖め、（２）麺を温めた湯を捨て（湯切り）、次いで（３）再び新たな熱湯を容器に注ぎ、（４）スープの素をそこに入れ、（５）麺をほぐし、最後に（６）具材を盛り付けるという手順が採られている。
【０００５】
しかし、この調理方法の欠点は、湯切りを必要とし、湯の捨て場所が手近に必要となるばかりではなく、手間が掛かること、さらに具材が冷めたまま容器に入れられるので、スープが冷めてしまうことなどである。
【０００６】
特許文献１では、常温流通・常温保存が可能で、電子レンジ加熱または湯戻し等の簡単な調理で、茹立てと同様の風味・食感の麺が得られる即席麺セットを提供するために、α化度が８０％以下で、水分が３８％を超える、常温保存可能な状態で包装された麺類を開示している。
【０００７】
特許文献２では、常温流通・常温保存が可能で、電子レンジ加熱または湯戻し等の簡単かつ短時間の調理で、茹立てと同様の風味・食感の麺が得られる即席麺を提供するために、α化度が８０％以下で、水分が３８％を超える、常温保存可能な状態で包装された麺類であって、５０℃における膨潤度が５以上の加工澱粉を含む麺類を開示している。
【０００８】
しかし、上記の特許文献１および２では、麺類を食べられる状態にする調理方法は電子レンジ加熱または湯戻しのいずれか一方を採用しているにすぎず、電子レンジ加熱と湯戻しとの併用は採用していない。
【特許文献１】特開平９−２５２７３６号公報
【特許文献２】特開平１０−１５５４４６号公報
【発明の開示】
【発明が解決しようとする課題】
【０００９】
本発明の課題は、カップ麺の風味を損なわずに、湯切りを不要とした簡便なカップ麺の調理方法を提供することにある。
【課題を解決するための手段】
【００１０】
本発明にもとづくカップ麺の調理方法は、カップ麺を容器ごと電子レンジに入れて約２０−６０秒間暖めること、容器に約７０−１００℃の熱湯を注入すること、熱湯の入った容器にスープの素を入れること、容器内の麺をほぐすこと、容器内に具材を盛り付けることからなる。
【発明の効果】
【００１１】
本発明によれば、最初に麺を湯戻しせずに、カップ麺全体を容器ごと電子レンジで軽く予熱し、次いでスープとなる湯を容器に注ぐだけであるので、湯切りが不要となり、コンビニエンスストア等の店内処理が簡単になり、店内環境も良好になると共に、短時間で調理できる。自宅においても、本発明は有効に利用できる。
【発明を実施するための最良の形態】
【００１２】
本発明にもとづくカップ麺の調理方法について、図１を参照して説明する。図１は、本発明にもとづくカップ麺の調理方法の概略工程図である。
【００１３】
本発明で用いられるカップ麺は、その製造工場において原材料の麺を一旦茹で、α化した麺を容器に入れ、容器の上の蓋容器に具材やスープの素を入れ、その上にカバーを置き、全体をラップ包装したものであり、通常、冷凍貯蔵されたものを冷蔵した状態で店頭に置かれ、顧客に提供される。
【００１４】
本発明にもとづくカップ麺の調理方法は、カップ麺を容器ごと電子レンジに入れて約２０−６０秒間暖めること、容器に約７０−１００℃の熱湯を注入すること、熱湯の入った容器にスープの素を入れること、容器内の麺をほぐすこと、容器内に具材を盛り付けることからなる。
【００１５】
カップ麺を容器ごと電子レンジに入れて約２０−６０秒間軽く暖めることによって、麺の食感が良くなる。従来のように湯切りを必要としないので、使用する湯の量も少なくなる。また、湯切り後の湯の捨て場所を必要としない。電子レンジによる予熱時間は、電子レンジの消費電力によって決まる。
【００１６】
容器に約７０−１００℃の熱湯を注入することによって、麺を簡単にほぐすことができ、スープの素を入れることによって容器内の湯はそのままスープとなる。容器内に具材を盛り付けたとき、具材は麺と同時に予め軽く暖められてあるので、スープを冷やすことはない。湯が約７０℃未満では、麺の風味が引き出せない。
【産業上の利用可能性】
【００１７】
本発明は、カップ麺ばかりではなく、湯戻しを必要とする容器入り即席食品に広く利用できる。
【図面の簡単な説明】
【００１８】
【図１】本発明にもとづくカップ麺の調理方法の概略工程図である。
【図１】
2006109803.tif 000003
(57)【要約】【課題】      購入者の原版写真や原画絵画などの希望箇所選択やトリミング箇所意図を反映し、作業性に優れ、経済的にしかも美術的効果、購入者の意図を忠実に反映したものにすること。【解決手段】  原版写真や原画絵画上に製作する写真の大きさの縦や横の比率に等しいもの、もしくは任意の枠を設けたものを重ね合わせ、希望する箇所選択やトリミング箇所を選択し、その部分をスキャナーなどでトリミングし、拡大縮小した画像をパソコンなどで製作する。【選択図】      図３
2006109387.tif 000002
【特許請求の範囲】
【請求項１】
原版写真や原画絵画上に製作する写真の大きさの縦や横の比率に等しい寸法の形状や異型の枠を設けたものを重ね合わせ、希望する箇所選択やトリミング箇所を選択する。
【請求項２】
原版写真や原画絵画上に希望製作する写真部分に異型や任意の枠を設けたものを重ね合わせ、希望する箇所選択やトリミング箇所を選択する。
【請求項３】
スキャナー・パソコン・プリンターなどＩＴ機器に製作する写真の大きさの縦や横の比率に等しい寸法のトリミング枠や異型のトリミング枠を製作、もしくはそれらを原版写真や原画絵画上に取込ませる。
【請求項４】
スキャナー・パソコン・プリンターなどＩＴ機器に製作する写真の大きさの任意のトリミング枠や異型のトリミング枠を製作、もしくはそれらを原版写真や原画絵画上に取込ませる。
【請求項５】
〔請求項１〕、〔請求項２〕、〔請求項３〕、〔請求項４〕のその部分をスキャナーなどでトリミングし、拡大縮小した画像をパソコンなどで製作する。
【請求項６】
その印刷された用紙や画像を絵葉書などの成果物にする。
【発明の詳細な説明】
【技術分野】
【０００１】  本発明は、写真や絵画等を絵葉書・ポストカード・カレンダー・携帯ストラップ・その他に写真や絵画等の表現や挿入する希望箇所選択やトリミング方法に関する。
【背景技術】
【０００２】  従来は依頼者の原版写真や原画絵画などの希望箇所選択やトリミング箇所を絵葉書・ポストカード・カレンダー・携帯ストラップ・その他の写真や絵画等の表現や挿入した製品を作る際、依頼者と製作者との意思疎通が難しくトラブルが生じていた。【０００３】  例えば七五三や結婚式の写真や絵画等を表現および挿入した製品を作る際に写真の残しておくべき晴れ着部分がトリミングされたりしてしまっていた。【０００４】  また、Ｌ判写真のトリミング部分を指定されたとしてもその部分を拡大・縮小して同じＬ判に製作した場合外形部分に不均一な余白が生じたり、写真を変形させたものとなり、見た目にも製品としても価値の低いものになってしまう。【０００５】  現在写真現像サービスでは業者の決まったトリミング方法のものを購入者に納得させて製品を作っているのでトラブルが多い。【０００６】  スキャナーなどで原版写真等を異型のトリミングし希望寸法形状の新たな写真を作る場合など現在作業性に問題が多い。
【発明の開示】
【発明が解決しようとする課題】
【０００７】
【０００８】  解決しようとする問題点は購入者の原版写真や原画絵画などの希望箇所選択やトリミング箇所意図を反映し、作業性に優れ、経済的にしかも美術的効果、購入者の意図を忠実に反映したものにすること。
【課題を解決するための手段】
【０００９】  原版写真や原画絵画上に製作する写真の大きさの縦や横の比率に等しいもの、もしくは任意の枠を設けたものを重ね合わせ、希望する箇所選択やトリミング箇所を選択し、その部分をスキャナーなどでトリミングし、拡大縮小した画像をパソコンなどで製作する。【００１０】  スキャナー・パソコン・プリンターなどＩＴ機器に縦や横の比率に等しいもの、もしくは任意のトリミング枠や異型のトリミング枠を製作または取込をしたもの使う。
【発明の効果】
【００１１】  本発明は購入者の原版写真や原画絵画などの希望箇所選択やトリミング箇所意図を反映し、作業性に優れ、経済的にしかも美術的効果、購入者の意図を忠実に反映したものにできる。
【発明の実施するための最良の形態】
【００１２】  原版写真や原画絵画上に製作する写真の大きさの縦や横の比率に等しいもの、もしくは任意の枠を設けたものを重ね合わせ、希望する箇所選択やトリミング箇所を選択し、その部分をスキャナーなどでトリミングし、拡大縮小した画像をパソコンなどで製作する。
【実施例１】
【００１３】  ２５ミリ×２５ミリで写真を製作するために写真Ｌ判の原版写真上に縦横１：１で希望するトリミング箇所が入る枠を重ね合わせ、スキャナーでプレビューしたものの枠内をトリミングし、スキャンした画像をパソコンで縦横の比率を変えずに２５ミリ×２５ミリにしたものをプリンターで製作したところ選んだ箇所と同じ画像が印刷された。【００１４】    スキャナーに希望する縦横の比率の等しい楕円形のトリミング枠を施し、希望するトリミング箇所に移動設定し、その部分をスキャンし画像をプリンターで製作したところ選んだ箇所と同じ画像が印刷された。
【発明の効果】
上記の方法で画像印刷されたものは購入者の原版写真や原画絵画などの希望箇所選択やトリミング箇所意図を反映し、作業性に優れ、経済的にしかも美術的効果、購入者の意図を忠実に反映したものとなった。
【産業上の利用可能性】
【００１５】  写真・カレンダー・絵葉書・ポストカード・お守り・携帯ストラップ・アクセサリー・販促品としてまた写真・絵画コンクール等での出品作品の独自性・個性化・忠実性・購入者の意図伝達による新しいサービスとなりうる。
【図面の簡単な説明】
【００１６】
【図１】  原版写真・原画絵画の図である。
【図２】  原版写真や原画絵画上に製作する写真の大きさの縦や横の比率に等しいもの、もしくは任意の枠の図である。
【図３】  原版写真や原画絵画上に製作する写真の大きさの縦や横の比率に等しいもの、もしくは任意の枠を重ね合わせた図である。
【図４】  スキャナーに希望する縦横の比率の等しい楕円形のトリミング枠を施した図である。
【図５】  ＩＴ機器を使い、希望箇所選択やトリミング箇所意図を反映した画像の図である。
【符号の説明】
【００１７】      １  取り込み用原版写真・原画絵画およびその写真
２  希望箇所選択トリミング枠
３  スキャナー
４  楕円形のトリミング枠
５  希望箇所選択やトリミング箇所意図を反映した画像
【図１】
2006109387.tif 000003
【図２】
2006109387.tif 000004
【図３】
2006109387.tif 000005
【図４】
2006109387.tif 000006
【図５】
2006109387.tif 000007
(57)【要約】【課題】  単純な撮影画像よりも情報量のある画像が可能になる。【解決手段】  音・時間・画像に応じた擬音・擬態語・画像をイメージに合成するカメラ撮影時に、音・時間・画像情報から、文字や擬態語や絵を選択し、それを撮影画像に合成する。【選択図】  図３
2006109322.tif 000002
【特許請求の範囲】
【請求項１】
画像情報を入力する操作パネル付ディジタルカメラ本体と、音入力部を持ち、ADコンバートする機能をもち、その音量により文字・絵を撮影画像と合成する能力があることを特徴とするデジタルカメラ。
【請求項２】
音入力し、ADコンバート後、音声認識し、その結果選択された絵・文字フォントと撮影画像を合成する能力があることを特徴とするデジタルカメラ。
【請求項３】
音入力し、ADコンバート後カレンダー情報により異なる絵・文字を選択し、それと撮影画像を合成する能力があることを特徴とするデジタルカメラ。
【請求項４】
音入力しADコンバード後、撮像データを画像解析を行い、音声解析結果と画像解析結果を照らし合わせて対応する絵・文字を選択しそれを撮影画像と合成する能力があることを特徴とするデジタルカメラ。
【請求項５】
撮像データを画像解析を行い、カレンダー情報と組み合わせ、その二つの情報を元に、対応する得・文字を選択しそれを撮影画像と合成する能力があることを特徴とするデジタルカメラ。
【発明の詳細な説明】
【技術分野】
【０００１】
本発明はデジタルカメラにおいて、自動的もしくは半自動的に絵・言葉などの表現を元画像に合成することに関するものである。
【背景技術】
【０００２】
従来、デジタルカメラは、単純にイメージを記録するのが目的であった。しかし、絵を単純に再生するだけでは表現力が不足するので音を録音できたり、表現方を豊かにするためにボタンなどで選択して言葉や絵を入れられるようになった。
【０００３】
しかし、音が録音できても、それを再生するのに時間がかかるため、実際にはあまり使用されない。また、言葉・絵を写真に入れることは操作性が煩雑であり、あまり使用されていない。
【０００４】
特許文献１によれば、それを解決するため音声認識機能を入れそれを画像に合成することを発明している。
【特許文献１】特開平１１−３２２３９号公報
【発明の開示】
【発明が解決しようとする課題】
【０００５】
しかし、それは音声認識のため雑音が多い実環境上では「認識ミス」等が発生しやすい。
【０００６】
また表現能力としても余り面白くないという問題をかかえている。
【課題を解決するための手段】
【０００７】
本発明は、音、振動などの各種センサーを持ち、その情報を元に擬音語・擬態語などの状況を表現できる言葉や絵を選択・抽出し、ＣＣＤなどのイメージ情報と合成することにより、自動的・半自動的に絵や文字を選択し撮影画像と合成することにより、単なる撮影画像よりもより表現力のある絵を提供することにある。
【０００８】
これにより単純な音声認識結果選択されるフォント列よりも、より表現力があり再現性がある文字をイメージ画像に合成することが可能になる。
【発明の効果】
【０００９】
本発明を使用することにより、単なる写真以上の情報、音環境を「視覚的に」ユーザに与えることが可能になる。
【発明を実施するための最良の形態】
【００１０】
図１は本発明を適用したデジタルカメラの一実施の形態のハードウェア構成例を示している。ボタン５の指示により、イメージデータはCCD2から取り込まれ
CPUブロック１内にあるADコンバータによりデジタル化されSDRAM7へと一時格納される。それと同時にマイク３から取り込まれた音情報がCPUブロック内１にあるADコンバータによりデジタル化されSDRAM7へと一時格納される。格納された音声データはCPUブロック１により処理され、FEPROM８内にあるイメージデータが選択される。選択されたデータはCPUブロック１により、SDRAM7に格納された写真データと合成されLCD4に表示される。
【００１１】
図２はCPUブロック１で処理される音声データに対する基本的な考え方を示す。
【００１２】
ボタンで「本発明モード」を選択し、文字の置く場所（上部・下部・画像真中など）を選択したのち、ボタンでシャッターを切り、写真と同時に音声データを採取し、音声データを処理後、対応するイメージデータを呼び出す若しくは作り、写真データと合成する。
【００１３】
図３は音量により「選択する文字を変える」実施例である。
【００１４】
音量により、それぞれ異なる擬態語を選択し画像と合成し出力を行う。
【００１５】
図４は音量と画像認識により「選択する文字を変える」実施例である。
音量により区分した後、画像顔認識ルーチンにかけ、人の顔が存在するか
しないかにより擬態語を変える。
【００１６】
図５は音声認識を使用した実施例である。例えば、「眠い」「ベッド」「あくび音」等の言葉を認識し、ベッドのアイコンを選択し合成する。
【図面の簡単な説明】
【００１７】
【図１】本発明を適用したデジタルカメラの一実施の形態のハードウエェア構成例を示すブロック図である。
【図２】本発明を適用するための基本的な構造化フローチャート。
【図３】音量により異なるメッセージをイメージと合成する実施例の構造化フローチャート。
【図４】音量と画像認識（顔面錦）により異なるメッセージを選択しイメージと合成する実施例の構造化フローチャート。
【図５】音声認識ソフトによりメッセージを認識しイメージと合成する実施例の構造化フローチャート。
【符号の説明】
【００１８】
１  中央演算装置、通常CPU+DSP＋ASICからなる
２  CCD
３  マイク
４  LCD
５  ボタン
６  FEPROMなどの画像保存用リムーバル外部記憶媒体
７  SDRAM
８  システム用FEPROM
９  日時情報を提供するカレンダーモヂュール
【図１】
2006109322.tif 000003
【図２】
2006109322.tif 000004
【図３】
2006109322.tif 000005
【図４】
2006109322.tif 000006
【図５】
2006109322.tif 000007
(57)【要約】【課題】  送信済み原稿の分別が可能で、同一原稿を他の送信先に再送信するときに不必要な情報を送信データから外すことができるファクシミリ装置を提供する。【解決手段】  移動原稿を読み取るファクシミリ装置において、送信時に入力された送信諸情報を原稿の裏面に記録する送信諸情報印字装置を備えた。【選択図】        図１
2006109365.tif 000002
【特許請求の範囲】
【請求項１】
移動原稿を読み取るファクシミリ装置において、送信時に入力された送信諸情報を原稿の裏面に記録する送信諸情報印字装置を備えたことを特徴とするファクシミリ装置。
【請求項２】
請求項１記載のファクシミリ装置において、前記送信諸情報は少なくとも送信先・ポーリング・同報・原稿枚数を含むことを特徴とするファクシミリ装置。
【請求項３】
請求項１または２記載のファクシミリ装置において、前記送信諸情報は原稿のヘッダーまたはフッター部に記録されることを特徴とするファクシミリ装置。
【請求項４】
請求項１、２または３記載のファクシミリ装置において、前記送信諸情報は２次元バーコードのデジタルデータであることを特徴とするファクシミリ装置。
【請求項５】
受信された記録紙に記録する送信元・日時を含む受信諸情報を記録紙の裏面に記録する受信諸情報印字装置を備えたことを特徴とするファクシミリ装置。
【発明の詳細な説明】
【技術分野】
【０００１】
本発明はファクシミリ装置に関し、特に送信時に入力された送信諸情報を記録する方法に関する。
【背景技術】
【０００２】
従来のファクシミリ装置においては、送信時に原稿には送信が正常終了したことを示すスタンプ等しか記録されず、且つその記録は同一原稿を他の送信先等に再送信する時も読み取られるようになっていた。
また、従来のファクシミリ装置においては、受信された記録紙のヘッダー部に記録する送信元・日時等のデータを受信データと同一色で記録している。
【発明の開示】
【発明が解決しようとする課題】
【０００３】
従来のファクシミリ装置は、不必要な情報が送信データに入ってしまう可能性があった。
本発明は、送信済み原稿の分別が可能で、同一原稿を他の送信先に再送信するときに不必要な情報を送信データから外すことができるファクシミリ装置を提供することを目的とする。
【課題を解決するための手段】
【０００４】
上記目的を達成するために、請求項１記載の発明は、移動原稿を読み取るファクシミリ装置において、送信時に入力された送信諸情報を原稿の裏面に記録する送信諸情報印字装置を備えたファクシミリ装置を最も主要な特徴とする。
請求項２記載の発明は、請求項１記載のファクシミリ装置において、前記送信諸情報は少なくとも送信先・ポーリング・同報・原稿枚数を含むことを特徴とする。
請求項３記載の発明は、請求項１または２記載のファクシミリ装置において、前記送信諸情報は原稿のヘッダーまたはフッター部に記録されることを特徴とする。
請求項４記載の発明は、請求項１、２または３記載のファクシミリ装置において、前記送信諸情報は２次元バーコードのデジタルデータであることを特徴とする。
請求項５記載の発明は、受信された記録紙に記録する送信元・日時を含む受信諸情報を記録紙の裏面に記録する受信諸情報印字装置を備えたファクシミリ装置を最も主要な特徴とする。
【発明の効果】
【０００５】
本発明は、移動原稿を読み取るファクシミリ装置において、送信時に入力された送信諸情報を原稿の裏面に記録する送信諸情報印字装置を備え、また、受信された記録紙に記録する送信元・日時を含む受信諸情報を記録紙の裏面に記録する受信諸情報印字装置を備えることで、同一原稿を他の送信先に再送信するときに不必要な情報を送信データから外すことができる。
【発明を実施するための最良の形態】
【０００６】
以下、本発明の実施の形態を図面に従って説明する。
図１は本発明の第１の実施形態に係るファクシミリ装置の構成図、図２は送信時の諸情報をヘッダー部の裏面に記録した原稿の例を示す図である。
本ファクシミリ装置は、スキャナ１と自動原稿搬送装置２を備えている。自動原稿搬送装置２は送信諸情報印字装置３を有している。自動原稿搬送装置２にセットされた原稿４は、オペレータが送信時の諸情報（送信先・ポーリング・同報・原稿枚数等）を入力後、フィードされ、ヘッダー部が送信諸情報印字装置３に達した時点で、送信諸情報印字装置３により送信諸情報５が原稿４の裏面に２次元バーコードとして記録される。その後、ファクシミリ送信される。図２において符号６は原稿通紙方向を示す。
同一原稿を再度送信する場合は、原稿ヘッダー部の裏面に記録された送信諸情報５はスキャナ１で読み込まれず送信データに不要なデータは付加されない。
図３は本発明の第２の実施形態に係るファクシミリ装置の構成図、図４は受信時の諸情報をヘッダー部の裏面に記録した記録紙の例を示す図である。
本ファクシミリ装置は、スキャナ１と印字ユニット１１を備えている。印字ユニット１１は、受信諸情報印字装置１２と受信画像印字装置１３を有する。受信された画像は受信画像印字装置１３により記録紙１４に印字された後、記録紙１４のフッター部が受信諸情報印字装置１２に達した時点で、受信諸情報１５を記録紙１４の裏面に記録する。図４において符号１６は記録紙通紙方向を示す。
同一原稿を再度送信する場合は、原稿フッター部の裏面に記録された受信諸情報１５はスキャナ１で読み込まれず送信データに不要なデータは付加されない。
図５は図１に示すファクシミリ装置における別の使用態様を示す構成図、図６は送信時の諸情報をヘッダー部の裏面に記録した原稿の例を示す図である。
前回の送信時にヘッダー部裏面に記録されたデジタル送信諸情報（２次元バーコード）７がスキャナ１の読み取り位置８に来た時、読み取り光源９を点灯し、原稿裏面に配置されたデジタル送信諸情報７の透過画像をスキャナ１で読み取り、原稿ヘッダー部裏面に記録されたデジタル送信諸情報７に基づき、ファクシミリの再送信ファクシミリ装置への宛先の登録等を行う。
【図面の簡単な説明】
【０００７】
【図１】本発明の第１の実施形態に係るファクシミリ装置の構成図。
【図２】送信時の諸情報をヘッダー部の裏面に記録した原稿の例を示す図。
【図３】本発明の第２の実施形態に係るファクシミリ装置の構成図。
【図４】受信時の諸情報をヘッダー部の裏面に記録した記録紙の例を示す図。
【図５】図１に示すファクシミリ装置における別の使用態様を示す構成図。
【図６】送信時の諸情報をヘッダー部の裏面に記録した原稿の例を示す図。
【符号の説明】
【０００８】
１  スキャナ
２  自動原稿搬送装置
３  送信諸情報印字装置
４  原稿
５  送信諸情報
【図１】
2006109365.tif 000003
【図２】
2006109365.tif 000004
【図３】
2006109365.tif 000005
【図４】
2006109365.tif 000006
【図５】
2006109365.tif 000007
【図６】
2006109365.tif 000008
(57)【要約】  【課題】  本発明は魚の活け締めにおいて魚が活け締め前に暴れることを、適切に押さえることを課題とする。  【解決手段】  活じめ方法として、活魚が遊泳する水槽中にくん煙を注入し、前記活魚の動きを低下させる前処理工程と、前処理工程により動きの低下した活魚に対して、活け締めを行う活け締め工程とを有する。このような構成により、前処理工程においてくん煙を水槽中に注入することにより、活魚の動きは徐々に緩慢になり、やがて仮死状態となる。この前処理工程により魚の動きが低下するので、水槽から魚を取り上げても魚が暴れることがなく、次の活け締め処理の効率化を図ることができるとともに、刃物で延髄を貫く精度の向上や魚の体力の消耗の抑制によって、鮮度をより保つことができ、さらに、魚体の損傷や内出血などの発生による商品価値の低下も抑えることができる。【選択図】  図１
2006109710.tif 000002
【特許請求の範囲】
【請求項１】
活魚が遊泳する水槽中にくん煙を注入し、前記活魚の動きを低下させる前処理工程と、
前処理工程により動きの低下した活魚に対して、活け締めを行う活け締め工程と
を有する魚の活け締め方法。
【請求項２】
活魚を遊泳させる水槽と、
木材を加熱してくん煙を発生させるくん煙発生手段と、
発生した前記くん煙を前記水槽へ送り込む移送手段と
を有する活け締め前処理装置。
【発明の詳細な説明】
【技術分野】
【０００１】
本発明は魚を活け締めする方法および活け締めのための前処理をする装置に関する。
【背景技術】
【０００２】
魚の活け締めは、魚の延髄を刃物で切断することで魚を殺し、さらに血を排出させることで、生化学変化の進行や残存血液による弊害を低下させるものであり、死んだ魚の鮮度を維持する方法として広く行われている。活け締めは、生簀などの水槽を遊泳する活魚を網等で取り出し、連続的に手作業で行うことが一般的である。
【発明の開示】
【発明が解決しようとする課題】
【０００３】
従来の活け締め方法では生きた魚を水から処理台に出して処理するために魚が暴れてしまう。このために、延髄を刺し通す際の精度が下がり、また、作業の効率も低下するといった問題がある。また、魚が暴れることにより魚の体力が消耗し鮮度が低下しやすくなり、さらに魚体に損傷が生じたり、内出血が生じたりして魚の商品としての価値が低下するといった問題もある。
そこで、上記の問題に鑑みて、本発明は魚の活け締めにおいて魚が活け締め前に暴れることを、適切に押さえることを課題とする。
【課題を解決するための手段】
【０００４】
上記課題を解決するために、本発明は次のような構成を有する。
請求項１に記載の発明は、活魚が遊泳する水槽中にくん煙を注入し、前記活魚の動きを低下させる前処理工程と、前処理工程により動きの低下した活魚に対して、活け締めを行う活け締め工程とを有する魚の活け締め方法である。
請求項２に記載の発明は、活魚を遊泳させる水槽と、木材を加熱してくん煙を発生させるくん煙発生手段と、  発生した前記くん煙を前記水槽へ送り込む移送手段とを有する活け締め前処理装置である。
【発明の効果】
【０００５】
請求項１に記載の発明では、前処理工程においてくん煙を水槽中に注入することにより、活魚の動きは徐々に緩慢になり、やがて仮死状態となる。これは、くん煙成分が徐々に体内に蓄積されること及びくん煙が水中に溶けることにより相対的に溶解している酸素量が減少することが原因であると推察される。この前処理工程により魚の動きが低下するので、水槽から魚を取り上げても魚が暴れることがなく、次の活け締め処理の効率化を図ることができるとともに、刃物で延髄を貫く精度の向上や魚の体力の消耗の抑制によって、鮮度をより保つことができる。さらに、魚体の損傷や内出血などの発生による商品価値の低下も抑えることができる。
請求項２に記載の発明は、水槽に魚を遊泳させることで簡易に魚の動きを低下させることができるので、容易に活け締め処理を行うことが可能となる。
【発明を実施するための最良の形態】
【０００６】
以下、本発明の実施形態について、図面を参照しながら説明する。
図１に発明の実施形態に係る活け締め前処理装置Xの概要を示す。本活け締め前処理装置Xは魚を遊泳させる水槽１０、木材を加熱してくん煙を発生させるくん煙発生部２０  発生したくん煙を前記水槽へ送り込む移送装置３０とから構成される。水槽１０は、ここではアクリル製のものが用いられるが、水を溜めることができるものであればどのようなものでもよい。くん煙発生部２０は木材を保持し、これをコンロにより加熱するものである。なお、くん煙発生部２０は、木材としてスモークウッドを用いる場合には保持部分のみで足りる。移送装置３０は、エアポンプ３１と、エアポンプ３１の排出口と前記水槽１０とを連結するパイプ３２と、パイプ３２の出口でくん煙を拡散させるための分散器３３とからなる。エアポンプ３１とくん煙発生部２０とは同じ筐体内に収められ、両者の間にはフィルター２２により連通する仕切りが設けられている。
【０００７】
以上のような構成を有する活け締め前処理装置Xを用いた魚の活け締め方法について以下に説明する。
まず、前処理工程を行う。なお、すでに水槽１０に海水を満たして、活魚Aを遊泳させ、エアーポンプ３１を始動させているものとする。最初に、くん煙発生部１０にカシ・ナラ・ブナ等の木材ののこくずを入れて加熱しくん煙を発生させる。くん煙が発生すると、このくん煙は、フィルター２２を通りエアーポンプ３１からパイプ３２を通じて水槽１０に達し、分散器３３により拡散して水槽内の海水に溶けていく。しばらく、すると活魚Aの動作が遅くなりやがて仮死状態となる。以上で前処理工程は終了する。
前処理工程が終了すると、次に、活け締め工程を行う。活け締め工程では、仮死状態となった活け魚を水槽１０から網ですくい出し、延髄の切断、血抜き等の活け締めを行う。
このような工程により活け締めを行うことで、活け締め段階で魚が暴れることがないために、適切かつ迅速に活け締め処理を行うことができる。また、実際にこの方法により活け締めした魚を従来の方法により活け締めした魚とを、魚肉の弾力性、血合肉、普通肉の色彩を指標として経時変化を見た場合、本方法により活け締めした魚に明らかに優位性が見られた。これは、木材のくん煙成分が海水中に溶出し、これが魚のエラから魚の体内に取り込まれる結果、くん煙成分に含まれる抗菌性、抗酸化性が付与されたものと推測することができる。
【図面の簡単な説明】
【０００８】
【図１】発明の実施形態に係る活け締め前処理装置の概念図である。
【符号の説明】
【０００９】
X    
１０  水槽
２０  くん煙発生部
３０  移送装置
【図１】
2006109710.tif 000003
(57)【要約】【課題】従来の短冊掛け、色紙掛けは、一枚の短冊、色紙しか装着できず、短冊、色紙、花生けなどを、単独、またはいろいろな組み合わせで装着できなかった。また木で出来たものは折り畳んで箱に収納できなかった。【解決手段】同一、または、種々の、幅、長さ、形状の板が、それぞれ隙間を持って、両端で折り曲げ可能な連結材で連結された掛け軸と、上記隙間に引っ掛けるためのフックがそれぞれ裏面に付いた色紙取付板、短冊取付板、花生けなどを設けたものである。【選択図】図１
2006109933.tif 000002
【特許請求の範囲】
【請求項１】
同一、または、種々の、幅、長さ、形状の板が、それぞれ隙間を持って、両端付近で折り
曲げ可能な連結材で連結された掛け軸と、上記隙間に引っ掛けるためのフックがそれぞれ
裏面に付いた色紙取付板、短冊取付板、花生けなどよりなる色紙などを装着する掛け軸。
【発明の詳細な説明】
【技術分野】
【０００１】
本発明は色紙、短冊、花生けなどを装着する掛け軸に関する。
【背景技術】
【０００２】
従来の色紙、短冊などを装着する掛け軸は、一枚の紙、布、板などで作られており、色紙
や短冊を取付る糸が組み込まれていた。（例えば図５、図６参照）
【発明の開示】
【発明が解決しようとする課題】
【０００３】
第５図に示す短冊掛けでは、１枚の紙、布などで出来た掛け軸に取付られた糸が短冊の四
隅を押えて短冊を装着していた。第６図に示す一枚の板で出来た色紙掛けでは、やはり取
付られている糸によって色紙は装着されている。両者とも短冊又は色紙１枚だけを決めら
れた位置に装着していて、同じ掛け軸に、あるときは色紙を装着したり、あるときは短冊
を装着したり、あるいは又花生けを装着したりできない。また掛け軸の希望の位置に装着
したり、色紙、短冊、花生けを任意の組み合わせで装着することはできない。
【０００４】
一枚の板でできた色紙掛けなどは、折りたたんで小さな箱に収納することはできない。
【０００５】
本発明は、このような従来の構造が有していた問題を解決しようとするものであり、一つ
の掛け軸の任意の位置に、あるときは短冊を、あるときは色紙を、あるときは花生けを装
着、又あるときは短冊と花生け、又あるときは短冊を二つと言うように、単独、又はいろ
いろの組み合わせで、且つ任意の位置に装着できる掛け軸を実現することを目的とするも
のである。また板で出来ていても、折りたたんで小さい箱に収納できることを目的として
いる。
【課題を解決するための手段】
【０００６】
本発明は上記目的を達成するために、同一、または、種々の、幅、長さ、形状の板が、そ
れぞれ隙間を持って、両端付近で折り曲げ可能な連結材で連結された掛け軸と、上記隙間
に引っ掛けるためのフックがそれぞれ裏面に付いた色紙取付板、短冊取付板、花生けなど
を設けたものである。
【発明の効果】
【０００７】
上述したように本発明の色紙などを装着する掛け軸は、折りたたみ可能で、小さな箱に収
納することができる。
【０００８】
また色紙、短冊、花生けなどを掛け軸の任意の位置に装着できる。
【０００９】
また、あるときは短冊を、あるときは色紙を、あるときは花生けを装着し、又あるときは
短冊と花生け、又あるときは短冊を二つと言うように、単独、またはいろいろな組み合わ
せで装着することができる。
【発明を実施するための最良の形態】
【００１０】
以下、本発明の実施の形態を図１〜図４に基ずいて説明する。
【００１１】
図において、１ａ，１ｂ、１ｃ，１ｄ・・・は同一、または、種々の、幅、長さ形状の板
で、それぞれ隙間２ａ，２ｂ，２ｃ，２ｄ・・・があるように、連結材３ａ，３ｂ，３ｃ
，３ｄ・・・で折りたたみ可能に連結されている。４は色紙、４ａは色紙取付板、５は短
冊、５ａは短冊取付板、６は花生けで、それぞれ裏面上側に上記隙間２ａ，２ｂ，２ｃ，
２ｄ・・・に引っ掛けることができるフツク７が取付られている。上端には掛緒８があり
部屋の壁などに掛ける。
【００１２】
図３に示すように、同一、または、種々の、幅、長さ、形状の板で構成され、あるときは
短冊だけを、あるときは色紙だけを、あるときは花生けだけなど、単独、または種々の組
み合わせで装着できる。
【図面の簡単な説明】
【００１３】
【図１】本発明の実施形態を示す色紙などを装着する掛け軸の正面図である。
【図２】図１の側面図である。
【図３】同一、または、種々の、形状の板で構成された本発明の掛け軸に、短冊、色紙、花生けを、単独、又は種々の組み合わせで装着した状態を示す図である。
【図４】折りたたんで小さな箱に収納する状態を示す図である。
【図５】従来短冊を装着する掛け軸
【図６】従来の板で出来た、色紙を装着する掛け軸
【符号の説明】
【００１４】
１ａ，１ｂ，１ｃ・・    板
２ａ，２ｂ，２ｃ・・    隙間
３ａ，３ｂ，３ｃ・・    連結材
４                      色紙
４ａ                    色紙取付板
５                      短冊
５ａ                    短冊取付板
６                      花生け
７                      フック
【図１】
2006109933.tif 000003
【図２】
2006109933.tif 000004
【図３】
2006109933.tif 000005
【図４】
2006109933.tif 000006
【図５】
2006109933.tif 000007
【図６】
2006109933.tif 000008